(57)【要約】【課題】使用者がフィルタのメンテナンスをすることなく、フィルタに付着した埃を除去できる屋外フードを提供することを目的とする。【解決手段】壁内１に設けられ室内２と室外３を連通させるダクト４内に挿入される筒部５と、外壁６に取り付けられ略中央に開口部７を有した本体８と、下方に開口を有したフード９と、筒部５内にフィルタ１０およびシャッター１１が設けられ、シャッター１１はフィルタ１０に対して換気方向の風の風下側に位置され、シャッター１１は軸１２を中心に回動自在となる構造としてなり、シャッター１１のフィルタ１０側の面には打突部材１４を設け、部屋のドアの開閉によって生じる筒部５内の圧力変動差によってシャッター１１がほぼ閉状態となったとき、打突部材１４がフィルタ１０に衝撃を与え、フィルタ１０の面に付着した埃を落とすことのできる屋外フードを提供できる。【選択図】図１
2008180455.tif 000002
【特許請求の範囲】
【請求項１】
壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面には、フィルタを打突する打突部材を設け、部屋のドアの開閉によって生じる筒部内の圧力変動差によってシャッターがほぼ閉状態となったとき、打突部材がフィルタを打突することによって、フィルタに衝撃を与え、フィルタの面に付着した埃を落とすことのできる屋外フード。
【請求項２】
打突部材を、フィルタとの接触が点接触または部分接触となる形状とした請求項１記載の屋外フード。
【請求項３】
打突部材を、フィルタとの接触がほぼ線接触となる形状とした請求項１記載の屋外フード。
【請求項４】
フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としている請求項１または２記載の屋外フード。
【請求項５】
交線を、伝播線により構成した請求項４記載の屋外フード。
【請求項６】
被打突部を起点として外周方向に向かう複数の伝播線どうしが交わるようにして形成した請求項１、３、５のいずれかに記載の屋外フード。
【請求項７】
シャッターの面に左右方向に伸びた引掛部を設け、打突部材には引掛部に沿って左右方向に摺動可能な受け部を有して、打突部材がシャッターの面上で、引掛部に沿って動くことができる構成とした請求項１記載の屋外フード。
【請求項８】
打突部材の左右に傾斜または曲面の受風面を有していて、フィルタが目詰まりした際に起こる筒部内の風速の不均一から、左右の受風面に加わる風圧の差によって打突部材がフィルタの目詰まりしている方向に自動的に動く構成とした請求項１〜７のいずれかに記載の屋外フード。
【請求項９】
壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面に、針状の突起がフィルタの各々の目に対応する位置に配置され、部屋のドアの開閉によって生じる筒部内の圧力変動差によってシャッターがほぼ閉状態となったとき、針状の突起がフィルタの各々の目に差し込まれ、フィルタに付着した埃を押し出すことにより、自動的にフィルタの埃除去ができる屋外フード。
【請求項１０】
軸が筒部に設けられた筒部と平行となる長手の軸穴に往復方向および回動自在となるように軸支され、部屋のドアの開閉によって生じる筒部内の圧力変動差が生じたときはシャッターがフィルタ方向にスライドし、シャッターに設けられた針状の突起がフィルタにさらに奥まで突き刺されるシャッターを有した請求項９記載の屋外フード。
【請求項１１】
筒部が本体固定用筒部と室外側接続筒部とで構成され、室内側接続筒部の内部にはシャッターおよびフィルタが配置され、室内側接続筒部とシャッターとフィルタとで形成される部分をフィルタユニット部とし、また、本体固定用筒部とフィルタユニットとは脱着できる構造であり、かつ、フィルタユニット部は本体固定用筒部との接続が、フィルタユニット部のフィルタ側筒端部またはシャッター側筒端部のどちらでも可能とした構造としたものであり、フィルタユニット部の方向を変えるだけで排気、給気のどちらの場合でも使用可能とした構造とした請求項１記載の屋外フード。
【発明の詳細な説明】
【技術分野】
【０００１】
本発明は、建物の換気を行うために換気風路に取り付けられる換気用屋外フードに関する。
【背景技術】
【０００２】
近年、住宅はエネルギー効率また快適性のため、気密化住宅が一般化されてきている。これにより換気の重要性が高まり、各部屋へ換気扇の設置がなされており、屋外にはその換気口に屋外フード設置されている。設置場所によっては、屋外フードの開口部から小さな虫が侵入するため、このような場所では防虫網付きの屋外フードの設置がされていた。しかしながら、このような防虫網付きの屋外フードの場合、長期にわたって換気扇等を運転すると防虫網に埃や虫が長期間にわたって堆積され、防虫網が目詰まりし、換気効率が低下するという課題があった。また、屋外フードの設置場所は高所であり、簡単に手の届く場所に設置されてないため屋外フードの設置後は防虫網が目詰まりしても人手によって掃除できないという課題があった。このような課題の解決のため、特許文献１に示すように、フィルタの前面に羽根板が設けられ、前記羽根板の各羽根にはブラシが設けられ、風力によってブラシを回転させ、ブラシによりフィルタに付着した埃や虫を払い落とす方法が知られている（例えば、特許文献１参照）。
【０００３】
しかし、このような換気口カバー材はブラシがフィルタに接触して埃を落とす構造であるため、実際には、この接触による摩擦が大きく、ブラシを回転させるためにはこの摩擦力より大きい風力が必要である。この風力を換気扇の動力でする場合には、風力を発生させる換気扇のパワーを大きくしなければならなく、このブラシを回転させるため、換気扇の動力が使われてしまうので、換気扇の効率はブラシを回転させるパワーの分だけ換気扇の消費電力が余分に発生するため、換気効率および、エネルギー効率を低下するという課題があった。また、この風力を室外で発生する外風で行おうとする場合には、風の強い地域または場所でしか実現できないという課題があった。
【０００４】
以下、その構成について図１６を参照にしながら説明する。
【０００５】
図に示すように建物の外周に設けた換気口に開口１０１を設けた蓋板１０２と、この蓋板１０２に固定しかつ開口１０１を覆ったフィルタ１０３と、このフィルタ１０３に隣接して羽根板１０４を設け、羽根板１０４には回転自在となる羽根１０５が軸支され、各羽根１０５にはブラシ１０６が設けられてなり、風圧により羽根１０５が回転することに伴いブラシ１０６がフィルタ１０３上を摺動する構造の換気口カバー材があった。
【特許文献１】実開昭６３−１１１５０７号公報（図１）
【発明の開示】
【発明が解決しようとする課題】
【０００６】
このような実用新案にある換気口カバーすなわち屋外フードは、換気扇の風圧によって羽根１０５を回転させ、羽根１０５に設けられたブラシ１０６をフィルタ１０３の表面上と摺動することによって、フィルタ１０３上に堆積された埃などを落とす構造となっている。
【０００７】
しかしながら、埃を掃き落とすためのブラシ１０６がフィルタ１０３上を摺動する構造であるため、ブラシ１０６とフィルタ１０３とで摩擦力が生じるため羽根１０５を回転させるにはこの摩擦力よりも大きい風圧の換気扇が必要である。またこの換気扇の風力エネルギーを使って羽根１０５を回転する構造であるため、その羽根１０５を回転させる動力分だけ換気扇の排気に使われるエネルギーが使用されるため、換気扇の消費電力が増加しまた、排気効率も低下する。その結果使用者（住居者）に電力の負担がかかってしまうという課題がある。一方、羽根１０５を室外で発生する外風で回転させようとしても、ブラシ１０６とフィルタ１０３とで摩擦力があるため、相当強い外風が必要となり、風が発生しないような場所に設置された場合にはその効果を発揮できないという課題があった。
【０００８】
本発明は上記課題を解決するもので、換気扇の風圧または外風を用いなくとも、使用者がフィルタのメンテナンスをすることなく、フィルタに付着した埃を除去できる屋外フードを提供することを目的とする。
【課題を解決するための手段】
【０００９】
本発明の屋外フードは上記目的を達成するために、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面には、フィルタを打突する打突部材を設け、部屋のドアの開閉によって生じる筒部内の圧力変動差によってシャッターがほぼ閉状態となったとき、打突部材がフィルタを打突することによって、フィルタに衝撃を与え、フィルタの面に付着した埃を落とすことのできる屋外フードとしたものである。
【００１０】
この手段により、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードが提供できる。
【００１１】
また、他の手段は、打突部材を、フィルタとの接触が点接触または部分接触となる形状としたものである。
【００１２】
この手段により、ドアの開閉などで生じる圧力変動によって、シャッターに設けられた打突部材がフィルタの一部分に集中的して衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる。
【００１３】
また、他の手段は、打突部材を、フィルタとの接触がほぼ線接触となる形状としたものである。
【００１４】
この手段により、ドアの開閉などで生じる圧力変動によって、シャッターに設けられた打突部材がフィルタの中心線付近に衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる。
【００１５】
また、他の手段は、フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としているものである。
【００１６】
この手段により、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる。
【００１７】
また、他の手段は、交線を、伝播線により構成したものである。
【００１８】
この手段により、打突部材がフィルタの被打突部に与えた衝撃が伝播線に沿ってフィルタの外周および外周方向の伝播線間の伝播線にも効果的に伝播することにより、容易にフィルタの全面部が衝撃によって震わされる状態になるので、フィルタの全面の埃を落とすことができる。
【００１９】
また、他の手段は、被打突部を起点として外周方向に向かう複数の伝播線どうしが交わるようにして形成したものである。
【００２０】
この手段により、打突部材がフィルタの被打突部に与えた衝撃が伝播線に沿ってフィルタの外周に効果的に伝播することにより、容易にフィルタの全面部が衝撃によって震わされる状態になるので、フィルタの全面の埃を落とすことができる。
【００２１】
また、他の手段は、シャッターの面に左右方向に伸びた引掛部を設け、打突部材には引掛部に沿って左右方向に摺動可能な受け部を有して、打突部材がシャッターの面上で、引掛部に沿って動くことができる構成としたものである。
【００２２】
この手段により、打突部材が左右方向にランダムに動くことにより、フィルタ面の広い範囲の埃を落とすことができる。
【００２３】
また、他の手段は、打突部材の左右に傾斜または曲面の受風面を有していて、フィルタが目詰まりした際に起こる筒部内の風速の不均一から、左右の受風面に加わる風圧の差によって打突部材がフィルタの目詰まりしている方向に自動的に動く構成としたものである。
【００２４】
この手段により、網の目詰まりが不均一となったとき、フィルタが中心に対して目詰まりが多い方の風速が小さくなる非対称の風速分布により、左右の受風面に加わる風圧の差によって打突部材が目詰まりの多い方に自動的に移動するので、フィルタの目詰まりの多い部分を集中的に埃を落とすことができるため、ドアの開閉回数が少ない場合でも効率的にフィルタの目詰まりを除去できる屋外フードが提供できる。
【００２５】
また、他の手段は、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面に、針状の突起がフィルタの各々の目に対応する位置に配置され、部屋のドアの開閉によって生じる筒部内の圧力変動差によってシャッターがほぼ閉状態となったとき、針状の突起がフィルタの各々の目に差し込まれ、フィルタに付着した埃を押し出すことにより、自動的にフィルタの埃除去ができる屋外フードとしたものである。
【００２６】
この手段により、針状の突起がフィルタの各々の目に差し込まれフィルタに付着した埃を押し出すことができる。
【００２７】
また、他の手段は、軸が筒部に設けられた筒部と平行となる長手の軸穴に往復方向および回動自在となるように軸支され、部屋のドアの開閉によって生じる筒部内の圧力変動差が生じたときはシャッターがフィルタ方向にスライドし、シャッターに設けられた針状の突起がフィルタにさらに奥まで突き刺されるシャッターを有した屋外フードとする。
【００２８】
この手段により、部屋のドアの開閉によって、シャッターがフィルタ側にスライドして針状の突起を奥まで突き刺すことができるため、フィルタに付着した埃をより多く落とすことができる。
【００２９】
また、他の手段は、筒部が本体固定用筒部と室外側接続筒部とで構成され、室内側接続筒部の内部にはシャッターおよびフィルタが配置され、室内側接続筒部とシャッターとフィルタとで形成される部分をフィルタユニット部とし、また、本体固定用筒部とフィルタユニットとは脱着できる構造であり、かつ、フィルタユニット部は本体固定用筒部との接続が、フィルタユニット部のフィルタ側筒端部またはシャッター側筒端部のどちらでも可能とした構造としたものであり、フィルタユニット部の方向を変えるだけで排気、給気のどちらの場合でも使用可能とした構造とする。
【００３０】
この手段により、フィルタユニット部の方向を変えるだけで排気、給気のどちらの場合でも使用可能な屋外フードが提供できる。
【発明の効果】
【００３１】
本発明の屋外フードによれば、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードを提供できる。
【００３２】
また、打突部材を、フィルタとの接触が点接触または部分接触としたことにより、強い衝撃をフィルタに与え、フィルタに付着した埃を強力に落とすことができる屋外フードを提供できる。
【００３３】
また、打突部材を、フィルタとの接触がほぼ線接触としたことにより、フィルタの全面に衝撃を与え、フィルタ全面に付着した埃を効率よく落とすことができる屋外フードを提供できる。
【００３４】
また、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる屋外フードを供給できる。
【００３５】
また、他の手段は、交線を、伝播線により構成したことにより、フィルタの目を構成する全てを容易に震わせ、フィルタ全面に付着した埃を効率よく落とすことができる屋外フードを提供できる。
【００３６】
また、他の手段は、被打突部を起点として外周方向に向かう複数の伝播線どうしが交わるようにして形成したことにより、フィルタの目を構成する全てを容易に効率よく震わせ、フィルタ全面に付着した埃を効率よく落とすことができる屋外フードを提供できる。
【００３７】
また、打突部材が左右方向にランダムに動くことにより、フィルタ面の広い範囲の埃を落とすことができる屋外フードを供給できる。
【００３８】
また、網の目詰まりが不均一となったとき、フィルタが中心に対して目詰まりが多い方の風速が小さくなる非対称の風速分布により、左右の受風面に加わる風圧の差によって打突部材が目詰まりの多い方に自動的に移動するので、フィルタの目詰まりの多い部分を集中的に埃を落とすことができるため、ドアの開閉回数が少ない場合でも効率的にフィルタの目詰まりを除去できる屋外フードが提供できる。
【００３９】
また、針状の突起がフィルタの各々の目に差し込まれフィルタに付着した埃を押し出すことができる屋外フードが提供できる。
【００４０】
また、部屋のドアの開閉によって、シャッターがフィルタ側にスライドして針状の突起を奥まで突き刺すことができるため、フィルタに付着した埃をより多く落とすことができる。
【００４１】
また、フィルタユニット部の方向を変えるだけで排気、給気のどちらの場合でも使用可能な屋外フードが提供できる。
【発明を実施するための最良の形態】
【００４２】
本発明の請求項１に記載の屋外フードは、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面には、フィルタに打突する打突部材を設け、部屋のドアの開閉によって生じる筒部内の圧力変動差によってシャッターがほぼ閉状態となったとき、打突部材がフィルタを打突することによって、フィルタに衝撃を与え、フィルタの面に付着した埃を落とすことのできる屋外フードとしたものであり、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードが提供できるという作用を有する。
【００４３】
また、打突部材を、フィルタとの接触が点接触または部分接触となる形状としたものであり、ドアの開閉などで生じる圧力変動によって、シャッターに設けられた打突部材がフィルタの一部分に集中的して衝撃を与え、フィルタに付着した埃が自動的に落とされるという作用を有する。
【００４４】
また、打突部材を、フィルタとの接触がほぼ線接触となる形状としたものであり、ドアの開閉などで生じる圧力変動によって、シャッターに設けられた打突部材がフィルタの中心線付近に衝撃を与え、フィルタに付着した埃が自動的に落とされるという作用を有する。
【００４５】
また、フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としているものであり、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる。
【００４６】
また、交線を、伝播線により構成したものであり、打突部材がフィルタの被打突部に与えた衝撃が伝播線に沿ってフィルタの外周および外周方向の伝播線間の伝播線にも効果的に伝播することにより、容易にフィルタの全面部が衝撃によって震わされる状態になり、フィルタの全面の埃を落とすことができるという作用を有する。
【００４７】
また、被打突部を起点として外周方向に向かう複数の伝播線どうしが交わるようにして形成したものであり、打突部材がフィルタの被打突部に与えた衝撃が伝播線に沿ってフィルタの外周に効果的に伝播することにより、容易にフィルタの全面部が衝撃によって震わされる状態になり、フィルタの全面の埃を落とすことができるという作用を有する。
【００４８】
また、シャッターの面に左右方向に伸びた引掛部を設け、打突部材には引掛部に沿って左右方向に摺動可能な受け部を有して、打突部材がシャッターの面上で、引掛部に沿って動くことができる構成としたものであり、打突部材が左右方向にランダムに動くことにより、フィルタ面の広い範囲の埃を落とすことができる。
【００４９】
また、打突部材の左右に傾斜または曲面の受風面を有していて、フィルタが目詰まりした際に起こる筒部内の風速の不均一から、左右の受風面に加わる風圧の差によって打突部材がフィルタの目詰まりしている方向に自動的に動く構成としたものであり、網の目詰まりが不均一となったとき、フィルタが中心に対して目詰まりが多い方の風速が小さくなる非対称の風速分布により、左右の受風面に加わる風圧の差によって打突部材が目詰まりの多い方に自動的に移動するので、フィルタの目詰まりの多い部分を集中的に埃を落とすことができるため、ドアの開閉回数が少ない場合でも効率的にフィルタの目詰まりを除去できる屋外フードが提供できる。
【００５０】
また、他の手段は、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風下側に位置され、また、シャッターは軸を中心に回動自在となる構造としてなり、シャッターのフィルタ側の面に、針状の突起がフィルタの各々の目に対応する位置に配置され、部屋のドアの開閉によって生じる筒部内の圧力変動差によってシャッターがほぼ閉状態となったとき、針状の突起がフィルタの各々の目に差し込まれ、フィルタに付着した埃を押し出すことにより、自動的にフィルタの埃除去ができる屋外フードとしたものであり、針状の突起がフィルタの各々の目に差し込まれフィルタに付着した埃を押し出すことができる。
【００５１】
また、軸が筒部に設けられた筒部と平行となる長手の軸穴に往復方向および回動自在となるように軸支され、部屋のドアの開閉によって生じる筒部内の圧力変動差が生じたときはシャッターがフィルタ方向にスライドし、シャッターに設けられた針状の突起がフィルタにさらに奥まで突き刺されるシャッターを有した屋外フードとするので、部屋のドアの開閉によって、シャッターがフィルタ側にスライドして針状の突起を奥まで突き刺すことができるため、フィルタに付着した埃をより多く落とすことができる。
【００５２】
また、筒部が本体固定用筒部と室外側接続筒部とで構成され、室内側接続筒部の内部にはシャッターおよびフィルタが配置され、室内側接続筒部とシャッターとフィルタとで形成される部分をフィルタユニット部とし、また、本体固定用筒部とフィルタユニットとは脱着できる構造であり、かつ、フィルタユニット部は本体固定用筒部との接続が、フィルタユニット部のフィルタ側筒端部またはシャッター側筒端部のどちらでも可能とした構造としたものであり、フィルタユニットの方向を変えるだけで排気、給気のどちらの場合でも使用可能とした構造であり、フィルタユニットの方向を変えるだけで排気、給気のどちらの場合でも使用可能な屋外フードが提供できる。
【００５３】
以下、本発明の実施の形態について、図面を参照しながら説明する。
【００５４】
（実施の形態１）
図１から図５に示すように、壁内１に設けられ室内２と室外３を連通させるダクト４内に挿入される筒部５と、外壁６に取り付けられ略中央に開口部７を有した本体８と、この本体８を覆うようにして設けられ下方に開口を有したフード９と、筒部５内にフィルタ１０およびシャッター１１が設けられ、シャッター１１はフィルタ１０に対して換気方向の風の風下側に位置され、また、シャッター１１は軸１２を中心に回動自在となる構造としてなり、シャッター１１のフィルタ１０側の面１３には、フィルタ１０を打突する打突部材１４を設け部屋のドアの開閉によって生じる筒部５内の圧力変動差によってシャッター１１がほぼ閉状態となったとき、打突部材１４がフィルタ１０を打突することによって、フィルタ１０に衝撃を与え、フィルタ１０の面に付着した埃を落とすことのできる屋外フードとしたものである。
【００５５】
上記構成において、住宅に屋外フードが設置された後、屋外フードが設置されている部屋のドアを開閉すると室内２の圧力は瞬間的に変動する。室内２はダクト４に連通しているため、ダクト４内も瞬間的に圧力変動が発生する。
【００５６】
例えば、屋外フードを排気用で設置する場合には図１のように外壁に屋外フードが設置される。そして例えば、ドアが部屋内方向に開閉するドアであった場合、ドアを開けると部屋の圧力は瞬間的に上昇する。逆にドアが部屋外方向に開閉するドアであった場合、ドアを閉めると部屋の圧力が瞬間的に上昇する。部屋の圧力が瞬間的に上昇すると、瞬間的にダクト４の内部で、室内２側から室外３側に向かう圧力波が発生し、筒部５内部のシャッター１１は軸１２を中心として勢いよくフィルタ１０側に回動させることとなる。
【００５７】
このとき、シャッター１１の面１３には打突部材１４が設けられており、シャッター１１がフィルタ１０側に回動すると、打突部材１４がフィルタ１０を勢いよく叩くためフィルタ１０に付着した埃がその衝撃によって落とされることとなる。このようにフィルタ１０に付着した埃はドアの開閉によって自動的に除去されることとなる。
【００５８】
一方、屋外フードを給気用で設置する場合には図４のように、外壁に屋外フードが設置され、この場合には、例えばドアが部屋内方向に開閉するドアであった場合、ドアを閉めると部屋の圧力は瞬間的に低下する。逆にドアが部屋外方向に開閉するドアであった場合、ドアを開けると部屋の圧力が瞬間的に低下する。部屋の圧力が瞬間的に低下すると、瞬間的にダクト４の内部で室外３から室内２側に向かう圧力波が発生する。この場合も同じようにシャッター１１軸１２を中心として勢いよくフィルタ１０側に回動する。シャッター１１の面１３には打突部材１４を有しており、打突部材１４が勢いよくフィルタ１０を叩くため、フィルタ１０に付着した埃はその衝撃で落とされることとなる。このようにフィルタ１０に付着した埃はドアの開閉によって自動的に除去されることとなる。
【００５９】
また、打突部材１４はフィルタ１０に当たる打突部１４が図３のようなほぼ点接触または、部分接触となるような形状でも、図５のような、シャッター１１が閉じた状態においてフィルタ１０に対しほぼ線接触となるようにシャッター１１から突出させて設けた打突部１４ａのような形状としてもフィルタ１０に打突してフィルタ１０に衝撃を加えることができれば、その形状は特に任意の形状でもかまわないが、打突部材を、フィルタ１０との接触が点接触または部分接触となる形状としたものである場合は、ドアの開閉などで生じる圧力変動によって、シャッター１１に設けられた打突部材１４がフィルタ１０の一部分に集中的して衝撃を与え、フィルタ１０に付着した埃を強力に落とすことができる、また、打突部材の打突部１４ａを、フィルタ１０との接触がほぼ線接触となる形状としたものである場合は、ドアの開閉などで生じる圧力変動によって、シャッター１１に設けられた打突部１４ａがフィルタ１０の中心線付近に衝撃を与え、フィルタ１０全面に付着した埃を効率よく落とすことができることとなる。
【００６０】
このように本発明の実施の形態１の屋外フードによれば、ドアの開閉などで生じる圧力変動によって、シャッターに設けられた打突部材がフィルタに衝撃を与えるので、フィルタ１０に付着した埃が自動的に落とされ、フィルタ１０が目詰まりしない状態に自動的に保てることができるため、フィルタ１０の定期的な掃除をするために人がメンテナンスをする手間がなくなり、フィルタのメンテフリーが実現できる屋外フードが提供できる。
【００６１】
（実施の形態２）
図６に示すように、フィルタ１０ａの目１５の構造は打突部材１４と接触するフィルタ１０ａ面の被打突部１６を起点にして外周１７方向に向かう１本または複数の伝播線１８と、伝播線１８に交わるように設けられた１本または複数の交線１９によってなる構造、または、被打突部１６を起点にして外周１７方向に向かう１本または複数の伝播線１８どうしが交わってなる構造で、フィルタ１０ａの被打突部１６からの衝撃を外周１７方向に伝播できる目１５の構造としている。
【００６２】
上記構成において、フィルタの目１５の構造は、打突部材１４が接触する部分である被打突部１６から外周１７方向に複数の伝播線１８有しており、その伝播線１８と交わるように交線１９よって目１５が構成されている。フィルタ１０ａは目１５より大きい虫が室内２に侵入するのを防止できる。また、長期に換気扇を運転した際には、このフィルタ１０ａの目１５に埃が付着することになる。そして打突部材１４がフィルタ１０ａの被打突部１６に当たると、その衝撃は被打突部１６から複数の伝播線１８に沿ってフィルタ１０ａの外周１７方向に衝撃が伝播し、打突部材１４からの衝撃がフィルタ１０ａの全体に広がる。このように、フィルタ１０ａの全面部にこの衝撃が広がるため、フィルタ１０ａの全面部についた埃をも落とすことができる。
【００６３】
また、図７に示すように、フィルタ１０ｂは被打突部１６を起点とし、中心から渦巻き状のように外周１７に向かう曲線で構成された伝播線１８ａと、被打突部１６を起点として外周１７方向に向かう伝播線１８とが交わるようにして目１５ａを構成としたものであり、打突部材がフィルタ１０ｂの被打突部１６に与えた衝撃が伝播線１８ａに沿ってフィルタ１０ｂの外周および外周方向の伝播線１８間の伝播線１８にも効果的に伝播することにより、容易にフィルタ１０ｂの全面部が衝撃によって震わされる状態になり、フィルタ１０ｂの全面の埃を落とすことができる。
【００６４】
また、図８に示すように、打突部材が線形状で、被打突部１６ａが線状態となる場合には、フィルタ１０ｃの目１５ｃは被打突部１６ａを起点として外周１７方向に向かう複数の伝播線１８ｂと、伝播線１８ｃとが交わるようにして形成としたものであり、打突部材がフィルタ１０ｃの被打突部１６ａに与えた衝撃が伝播線１８ｂ、１８ｃに沿ってフィルタ１０ｃの外周に効果的に伝播することにより、容易にフィルタ１０ｃの全面部が衝撃によって震わされる状態になり、フィルタ１０ｃの全面の埃を落とすことができる。
【００６５】
フィルタの目は、図７および図８に示すような形状であっても、打突部材がフィルタの被打突部に衝撃を与え、被打突部で受けた衝撃は伝播線に沿ってフィルタの外周方向に衝撃が伝播しフィルタの全体に広げることができるという効果に差異はない。
【００６６】
このように本発明の実施の形態２の屋外フードによれば、打突部材１４がフィルタ１０の被打突部１６に与えた衝撃が伝播線１８に沿ってフィルタ１０の外周１７に効果的に伝播することにより、フィルタ１０の全面部が衝撃によって震わされる状態になるので、フィルタ１０の全面の埃を落とすことができる。
【００６７】
（実施の形態３）
図９に示すように、シャッター１１ａの面１３ａに左右方向に伸びた引掛部２０を設け、打突部材１４ｂには引掛部２０に沿って左右方向に摺動可能な受け部２１を有して、打突部材１４ｂがシャッター１１ａの面１３ａ上で、引掛部２０に沿って動くことができる構成となっている。
【００６８】
上記構成において、シャッター１１ａの面１３ａに左右方向に伸びた引掛部２０は打突部１４ｂの受け部２１とで摺動可能な状態として嵌まるように組立てられ、ドアの開閉による圧力変動で打突部材１４ｂがフィルタ１０に当たった際には、打突部材１４ｂは衝撃の反力が加わり、打突部材１４ｂはフィルタ１０との衝突の際、左もしくは右の方向にランダムに動くこととなる。打突部材１４ｂはフィルタ１０との衝突によって、フィルタ１０に対しランダムな位置に打突されるので、フィルタ１０の特定な位置だけ衝撃が加わることなく、フィルタ１０の面の広い範囲で衝撃が加わるため、フィルタ１０面の広い範囲の埃を落とすことができる。
【００６９】
このように本発明の実施の形態３の屋外フードによれば、打突部材１４ｂが左右方向にランダムに動くことにより、フィルタ１０面の広い範囲の埃を落とすことができる。
【００７０】
（実施の形態４）
図１０に示すように、打突部材１４ｃの左右に傾斜または曲面の受風面２２を有していて、フィルタ１０が目詰まりした際に起こる筒部５内の風速の不均一から、左右の受風面２２に加わる風圧の差によって打突部材１４ｃがフィルタ１０の目詰まりしている方向に自動的に動く構成とする。
【００７１】
上記構成において、フィルタ１０が目詰まりの状態が発生したとき、フィルタ１０は換気扇の流路形状によって、フィルタ１０の中心に対して、非対称に目詰まりが起こる。
【００７２】
例えば、フィルタ１０がその中心に対して、右側が左側に比べて目詰まりが多い場合は、フィルタ１０の右側部分を通過する風速が小さく風圧が小さい、左側部分を通過する風速はフィルタ１０の目詰まりが少ないため風速は右側より早く、風圧は大きい。
【００７３】
この風圧はシャッター１１に有した打突部材１４ｃの左右に設けられた受風面２２にかかるが、受風面２２に当たる風圧は、この場合、右側が小さく、左側は大きい風圧がかかるため、左右の受風面２２のかかる風圧の大小により、打突部材１４ｃは風圧の小さい面側（目詰まりの多い方側）に移動されることとなる。そしてこのとき、ドアの開閉がなされると、打突部材１４ｃは目詰まりの多い方に集中して衝撃を与えることによりフィルタ１０に付着した埃を効率よく自動的に除去することができる。そして目詰まりの多い方側の埃が除去されると、逆にこの側の風速は大きくなるため、打突部材１４ｃは受風面２２にかかる風圧の大小により、反対側に移動され反対側の目詰まりを除去されることとになる。
【００７４】
このように本発明の実施の形態４によれば、フィルタ１０に目詰まりの不均一が起こると、打突部材１４ｃの左右の受風面２２に加わる風圧の差によって打突部材１４ｃが目詰まりの多いに自動的に移動するので、フィルタの目詰まりの多い部分を集中的に埃を落とすことができるため、ドアの開閉回数が少ない場合でも効率的にフィルタの目詰まりを除去できる屋外フードが提供できる。
【００７５】
（実施の形態５）
図１１および図１２に示すように、壁内１に設けられ室内２と室外３を連通させるダクト４内に挿入される筒部５と、外壁６に取り付けられ略中央に開口部７を有した本体８と、この本体８を覆うようにして設けられ下方に開口を有したフード９と、筒部５内にフィルタ１０およびシャッター１１が設けられ、シャッター１１はフィルタ１０に対して換気方向の風の風下側に位置され、また、シャッター１１は軸１２を中心に回動自在となる構造としてなりシャッター１１のフィルタ１０側の面１３ｂに針状の突起２３がフィルタ１０の各々の目に対応する位置に配置され部屋のドアの開閉によって生じる筒部５内の圧力変動差によってシャッター１１がほぼ閉状態となったとき、針状の突起２３がフィルタ１０の各々の目に差し込まれ、フィルタ１０に付着した埃を押し出すことにより、自動的にフィルタの除去ができる屋外フードとしたものである。
【００７６】
上記構成において、屋外フードを外壁に設置されたあと、部屋のドアの開閉がなされると、筒部５内の圧力変動によって、シャッター１１はフィルタ１０側に回動する。このとき、シャッター１１の面１３ｂには針状の突起２３が埃によって目詰まりしたフィルタ１０の目の穴に入りこみ、埃を突き刺して押し落とす。ところで、埃は水分や油分を含むとフィルタ１０の目に固着する場合がある。屋外フードが水分や油分が多い通風箇所であるときには、固着してしまった埃はフィルタへの衝撃だけで落ちにくい。このようにフィルタ１０の目に固着してしまった埃は、部屋のドアの開閉によって針状の突起２３で突き刺されて落とすことができる。
【００７７】
このように、本発明の実施の形態５の屋外フードによれば、部屋のドアの開閉によってフィルタ１０に付着した埃を針状の突起２３で突き刺して落とすので、固着した埃でも落とすことができる。
【００７８】
（実施の形態６）
図１３に示すように、軸１２ａが筒部５ａに設けられた筒部５ａと平行となる長手の軸穴２４に往復方向および回動自在となるように軸支され、部屋のドアの開閉によって生じる筒部５ａ内の圧力変動差が生じたときはシャッター１１がフィルタ１０方向にスライドし、シャッター１１に設けられた針状の突起２３がフィルタ１０に対してさらに奥まで突き刺されるシャッターを有したものである。
【００７９】
上記構成において、部屋のドアの開閉によってシャッター１１側からフィルタ１０側へ向かう圧力波が発生したときにはシャッタ−１１の面に圧力波が加わり、軸１２ａは軸穴２４のフィルタ１０側まで移動し、シャッター１１はフィルタ１０側にスライドして動く。シャッタ−１１は軸穴２４の端まで可動されるため、フィルタ１０に設けられた針状の突起２３がフィルタ１０にさらに奥まで差し込まれることとなる。針状の突起２３が奥まで差し込まれるため、フィルタ１０に付着した埃をより多く落とすことができる。
【００８０】
このように、本発明の実施の形態６の屋外フードによれば、部屋のドアの開閉によって、シャッター１１がフィルタ１０側にスライドして針状の突起２３を奥まで突き刺すことができるため、フィルタ１０に付着した埃をより多く落とすことができる。
【００８１】
（実施の形態７）
図１４および図１５に示すように、筒部５ｂが本体固定筒部２５と室内側接続筒部２６とで構成され、室内側接続筒部２６の内部にはシャッター１１およびフィルタ１０が配置され、室内側接続筒部２６とシャッター１１とフィルタ１０とで形成される部分をフィルタユニット２７とし、また、本体固定筒部２５とフィルタユニット２７とは脱着できる構造であり、かつ、フィルタユニット２７は本体固定筒部２５との接続方向が、フィルタユニット２７のフィルタ側筒端部２８またはシャッター側筒端部２９のどちらでも接続可能とした構造としたものであり、フィルタユニット２７の方向を変えるだけで排気、給気のどちらの場合でも使用可能とすることができる。
【００８２】
上記構成において、屋外フードを排気用として使用する場合には、フィルタユニット２７と本体固定筒部２５との接続状態を、フィルタユニット２７の内部のシャッター１１が室外３側に位置するような向きにし、本体固定筒部２５の端部とフィルタユニット２７のシャッター側筒端部２９とを合せて固定され排気用の屋外フードとして壁に設置される。
【００８３】
また、屋外フードを給気用として使用する場合には、フィルタユニット２７と本体固定筒部２５との接続状態を、フィルタユニット２７の内部のフィルタ１０が室外３側に位置するような向きにし、本体固定筒部２５の端部とフィルタユニット２７のシャッター側筒端部２９とを合せて固定され給気用の屋外フードとして壁に設置される。
【００８４】
屋外フードは排気用または、給気用のどちらにも場合も使用されることがあるため、施工者は換気扇が排気用でも給気用でもどちらの場合でも、施工時に容易に本屋外フードのフィルタユニット２７の方向を変えるだけで、排気、給気どちらの場合でも使用可能な屋外フードが提供できる。
【００８５】
このように本発明の実施の形態７の屋外フードによれば、フィルタユニット２７の方向を変えるだけで排気、給気のどちらの場合でも使用可能な屋外フードが提供できる。
【産業上の利用可能性】
【００８６】
本発明にかかる屋外フードは、虫の侵入を防ぐことのできるフィルタを有した排気装置、空気調和装置等にも適用できる。
【図面の簡単な説明】
【００８７】
【図１】本発明の実施の形態１の屋外フードの構成を示す断面図
【図２】同屋外フードの動作を示す断面図
【図３】同屋外フードの部品の構成を示す斜視図
【図４】同屋外フードの動作を示す断面図
【図５】同屋外フードの部品の構成を示す斜視図
【図６】本発明の実施の形態２の屋外フードのフィルタを示す正面図
【図７】同屋外フードのフィルタを示す正面図
【図８】同屋外フードのフィルタを示す正面図
【図９】本発明の実施の形態３の屋外フードの部品の構成を示す斜視図
【図１０】本発明の実施の形態４の屋外フードの部品の構成を示す斜視図
【図１１】本発明の実施の形態５の屋外フードの構成を示す断面図
【図１２】同屋外フードの部品の構成を示す斜視図
【図１３】本発明の実施の形態６の屋外フードの構成を示す断面図
【図１４】本発明の実施の形態７の屋外フードの構成を示す断面図
【図１５】同屋外フードの屋外フードの構成を示す断面図
【図１６】従来の屋外フードを示す斜視図
【符号の説明】
【００８８】
１      壁内
２      室内
３      室外
４      ダクト
５      筒部
５ａ    筒部
５ｂ    筒部
６      外壁
７      開口部
８      本体
９      フード
１０    フィルタ
１０ａ  フィルタ
１１    シャッター
１１ａ  シャッター
１２    軸
１２ａ  軸
１３    面
１３ａ  面
１３ｂ  面
１４    打突部材
１４ｃ  打突部材
１５    目
１６    被打突部
１７    外周
１８    伝播線
１９    交線
２０    引掛部
２１    受け部
２２    受風面
２３    突起
２４    軸穴
２５    本体固定筒部
２６    室内側接続筒部
２７    フィルタユニット
２８    フィルタ側筒端部
２９    シャッター側筒端部
【図１】
2008180455.tif 000003
【図２】
2008180455.tif 000004
【図３】
2008180455.tif 000005
【図４】
2008180455.tif 000006
【図５】
2008180455.tif 000007
【図６】
2008180455.tif 000008
【図７】
2008180455.tif 000009
【図８】
2008180455.tif 000010
【図９】
2008180455.tif 000011
【図１０】
2008180455.tif 000012
【図１１】
2008180455.tif 000013
【図１２】
2008180455.tif 000014
【図１３】
2008180455.tif 000015
【図１４】
2008180455.tif 000016
【図１５】
2008180455.tif 000017
【図１６】
2008180455.tif 000018